(57)【要約】【課題】比較的に簡単なアルゴリズムを用いて計算量を減少させることにより実時間処理が可能であると共に、多量のメモリを用いなくても、異なる色帯域マッチングのための色信号の変換ができる色変換装置及び色変換方法を提供することにある。【解決手段】本発明による色変換装置は、入力される第１色信号の標準色帯域と、前記第１色信号が再現されるターゲット装置の色帯域がマッチングするように、第１色信号を第２色信号に変換して出力する色帯域マッチング部、及び第２色信号を前記ターゲット装置において使用可能な色信号に変化させて出力する出力部を備える。【選択図】図２
2004304793.tif 000002
【特許請求の範囲】
【請求項１】
入力される第１色信号の標準色帯域と、前記第１色信号が再現されるターゲット装置の色帯域とがマッチングするように、前記第１色信号を第２色信号に変換して出力する色帯域マッチング部と、
前記第２色信号を前記ターゲット装置において使用可能な色信号に変化させて出力する出力部と
を含むことを特徴とする色変換装置。
【請求項２】
入力色信号をデバイスインデペンデント色空間の色信号に変換して前記第１色信号として提供する入力部を、更に含むことを特徴とする請求項１に記載の色変換装置。
【請求項３】
前記入力色信号は、非線形標準ＲＧＢ色信号であり、前記第１色信号はＣＩＥ−ＸＹＺ色信号であり、前記第２色信号はＷＹＶ色信号であることを特徴とする請求項２に記載の色変換装置。
【請求項４】
前記入力部は、前記非線形標準ＲＧＢ色信号を線形補正し、線形ＲＧＢ色信号に変換して出力する線形補正部と、
前記線形ＲＧＢ色信号を前記ＣＩＥ−ＸＹＺ色信号に変換して出力するＣＩＥ色信号変換部と
を含むことを特徴とする請求項３に記載の色変換装置。
【請求項５】
前記色帯域マッチング部は、
前記第１色信号をＷＹＶ色信号に変換して出力するＷＹＶ色信号変換部と、
前記ＷＹＶ色信号を前記第１色信号の標準色帯域及び前記ターゲット装置の色帯域のそれぞれを基準とし、色相及び輝度を一定に保持しつつ最大彩度値の範囲を決定するスケール定数Ｋ１及びＫ２をそれぞれ算出するスケーリング算出部と、
前記スケール定数Ｋ１及びＫ２の比値である最終スケール定数Ｋに基づいて、前記ＷＹＶ色信号の色信号値を補正する色帯域決定部と、
補正された前記ＷＹＶ色信号を、前記デバイスインデペンデント色空間の色信号である前記第２色信号に変換して出力するＸＹＺ色信号変換部と
を含むことを特徴とする請求項１に記載の色変換装置。
【請求項６】
前記出力部は、前記第２色信号を前記ターゲット装置に従属的なＲＧＢ色信号に変換して出力するＲＧＢ色信号変換部と、
前記ＲＧＢ色信号変換部から出力される前記ＲＧＢ色信号を、前記ターゲット装置のトーンカーブ特性に従い補償を行って出力するトーンカーブ補償部と
を含むことを特徴とする請求項１に記載の色変換装置。
【請求項７】
（ａ）入力される第１色信号の標準色帯域と、前記第１色信号が再現されるターゲット装置の色帯域とがマッチングするように前記第１色信号を第２色信号に変換して出力するステップと、
（ｂ）前記第２色信号を前記ターゲット装置において使用可能な色信号に変化させて出力するステップと
を含むことを特徴とする色変換方法。
【請求項８】
入力色信号をデバイスインデペンデント色空間の色信号に変換して前記第１色信号として提供するステップを更に含むことを特徴とする請求項７に記載の色変換方法。
【請求項９】
前記入力色信号は、非線形標準ＲＧＢ色信号であり、前記第１色信号は、ＣＩＥ−ＸＹＺ色信号であり、前記第２色信号は、ＷＹＶ色信号であることを特徴とする請求項８に記載の色変換方法。
【請求項１０】
前記第１色信号として提供するステップは、
前記非線形標準ＲＧＢ色信号を線形補正し、線形ＲＧＢ色信号に変換して出力するステップと、
前記線形ＲＧＢ色信号を前記ＣＩＥ−ＸＹＺ色信号に変換して出力するステップと
を含むことを特徴とする請求項９に記載の色変換方法。
【請求項１１】
前記（ａ）ステップは、
前記第１色信号をＷＹＶ色信号に変換して出力するステップと、
前記ＷＹＶ色信号を前記第１色信号の標準色帯域及び前記ターゲット装置の色帯域をそれぞれ基準とし、色相及び輝度を一定に保持しつつ最大彩度値の範囲を決定するスケール定数Ｋ１及びＫ２をそれぞれ算出するステップと、
前記スケール定数Ｋ１及びＫ２の比値である最終スケール定数Ｋに基づいて、前記ＷＹＶ色信号の色信号値を補正するステップと、
補正された前記ＷＹＶ色信号を前記デバイスインデペンデント色空間の色信号である前記第２色信号に変換して出力するステップと
を含むことを特徴とする請求項７に記載の色変換方法。
【請求項１２】
前記（ｂ）ステップは、
前記第２色信号を前記ターゲット装置に従属的なＲＧＢ色信号に変換して出力するステップと、
前記ＲＧＢ色信号を前記ターゲット装置のトーンカーブ特性に従い補償を行って出力するステップと
を含むことを特徴とする請求項７に記載の色変換方法。
【発明の詳細な説明】
【技術分野】
【０００１】
本発明は、色変換装置及び方法に関し、より詳しくは入力される標準色信号の色帯域と、該入力色信号を再現するターゲット装置との間の色帯域が異なる場合、これらの異なる色帯域がマッチングすることができるように入力色信号を変換する色変換装置及びその方法に関する。
【背景技術】
【０００２】
モニター、スキャナー、プリンター等のような色を再現する装置は、ユーザの多様な要求を満たすため、その機能が多様化、高品質化、そして低価格化されてきており、それぞれの使用分野によって互いに異なる色空間（ｃｏｌｏｒ  ｓｐａｃｅ）、或いはカラーモデルを用いている。例えば、印刷分野においてはＣＭＹＫ色空間を用い、インターネット出力用グラフィクスの如くコンピュータモニターを用いる分野においてはＲＧＢ色空間を用いる。また、いずれの装置においても正確に再生できる、いわゆるデバイスインデペンデントカラーを定義するため、ＣＩＥ色空間が用いられることもある。ＣＩＥ色空間は、ＩＣＩ（Ｉｎｔｅｒｎａｔｉｏｎａｌ  Ｃｏｍｍｉｓｓｉｏｎ  ｏｎ  Ｉｌｌｕｍｉｎａｔｉｏｎ）で製造したものであり、代表的にＣＩＥ-ＸＹＺ、ＣＩＥ  Ｌ＊ａ＊ｂ、ＣＩＥ  ＬＵＶ色空間等がある。ＣＩＥ色空間は、コンピュータで使用しやすく広範囲なカラーを表現することができるため、広く用いられている。
【０００３】
一方、色を再現する装置間には色空間以外にも、色帯域（ｃｏｌｏｒ  ｇａｍｕｔ）が互いに異なってもよい。色空間が色を定義する方法、即ち、ある色と他の色との関係を表す方法を意味するのに対し、色帯域は色相再現範囲を意味する。従って、色帯域が広い装置のカラー映像を色帯域が狭い装置で再現する場合、色帯域が狭い装置の色帯域外に置かれる色は、元の正確な色として再現されなくなる。そこで、入力される色信号と該入力色信号を再現する装置間に用いられる色空間、または色帯域が異なる場合、入力される色信号を適切に変換するか、標準色再現（Ｓｔａｎｄａｒｄ  Ｃｏｌｏｒ  Ｒｅｐｒｏｄｕｃｔｉｏｎ）のための色変換装置が用いられる。
【０００４】
図１は、従来の色変換装置の一例を示すブロック図である。図面を参照すると、従来の色変換装置は、線形補正部１０、ＣＩＥ色信号変換部２０、ＲＧＢ色信号変換部３０及びトーンカーブ補償部４０からなる。
線形補正部１０は、入力される標準非線形ＲＧＢ色信号を線形補正して線形ＲＧＢ信号に変換する。ＣＩＥ色信号変換部２０は、線形ＲＧＢ色信号をデバイスインデペンデントカラーであるＣＩＥ色信号に変換して必要な信号処理過程を行う。ＲＧＢ色信号変換部３０は、ＣＩＥ色信号を更にＲＧＢ色信号に変換し、トーンカーブ補償部４０は、入力色信号が再現されるターゲット装置が有している固有のトーンカーブ特性（ｔｏｎｅ  ｃｕｒｖｅ  ｃｈａｒａｃｔｅｒｉｓｔｉｃ）を用いて色信号を補償した後に出力する。
【０００５】
しかし、このような構成の色変換装置においては、ターゲット装置において表現され得る色相の範囲がターゲット装置の色帯域範囲に制限される。従って、ターゲット装置の色帯域を外れる色信号が入力される場合該当色帯域範囲内の色として表現され、逆にターゲット装置においては表現が可能であるものの入力される色信号の色帯域で定義されていない色信号に対しては、ターゲット装置において再現することができなくなる。従って、入力される色信号の色帯域とターゲット装置の色帯域とをマッチングさせることができるように、入力される色信号に対する色帯域マッピング（Ｇａｍｕｔ  Ｍａｐｐｉｎｇ）を通じた適切な色変換過程が必要となる。
【０００６】
従来にはこのような問題点を解決するため、複雑なアルゴリズムを用いて入力される色信号を変換する方式や、ルックアップテーブルに保存されたデータ値を参照して入力される色信号を変換するＬＵＴ方法が用いられた。しかし、複雑なアルゴリズムを用いて色変換を行うことになれば、計算量が増加することになるため、実時間処理に不適合となるという問題点がある。また、ＬＵＴ方法は、多量のメモリが必要となるため、ハードウェアのサイズ及び構成の複雑性が増加するという問題点がある。
【発明の開示】
【発明が解決しようとする課題】
【０００７】
本発明の目的は、比較的に簡単なアルゴリズムを用いて計算量を減少させることにより実時間処理が可能であると共に、多量のメモリを用いなくても、異なる色帯域マッチングのための色信号の変換ができる色変換装置及び色変換方法を提供することにある。
【課題を解決するための手段】
【０００８】
前記の目的を達成するための本発明による色変換装置は、入力される第１色信号の標準色帯域と、前記第１色信号が再現されるターゲット装置の色帯域とがマッチングするように、前記第１色信号を第２色信号に変換して出力する色帯域マッチング部、及び前記第２色信号を前記ターゲット装置において使用可能な色信号に変化させて出力する出力部を含む。好ましくは、入力色信号をデバイスインデペンデント色空間の色信号に変換して前記第１色信号へ提供する入力部を更に含む。前記入力色信号は非線形標準ＲＧＢ色信号であり、前記第１色信号はＣＩＥ−ＸＹＺ色信号であり、前記第２色信号はＷＹＶ色信号であることが好ましい。また、前記入力部は、前記非線形標準ＲＧＢ色信号を線形補正し、線形ＲＧＢ色信号に変換して出力する線形補正部、及び前記線形ＲＧＢ色信号を前記ＣＩＥ−ＸＹＺ色信号に変換して出力するＣＩＥ色信号変換部を含むことが好ましい。
【０００９】
前記色帯域マッチング部は、前記第１色信号をＷＹＶ色信号に変換して出力するＷＹＶ色信号変換部、前記ＷＹＶ色信号を前記第１色信号の標準色帯域及び前記ターゲット装置の色帯域をそれぞれ基準とし、色相及び輝度を一定に保持しつつ最大彩度値の範囲を決定するスケール定数Ｋ１及びＫ２をそれぞれ算出するスケーリング算出部、前記スケール定数Ｋ１及びＫ２の比値である最終スケール定数Ｋに基づいて前記ＷＹＶ色信号の色信号値を補正する色帯域決定部、及び補正された前記ＷＹＶ色信号を前記デバイスインデペンデント色空間の色信号である前記第２色信号に変換して出力するＸＹＺ色信号変換部を含むことが好ましい。
【００１０】
また、前記出力部は、前記第２色信号を前記ターゲット装置に従属的なＲＧＢ色信号に変換して出力するＲＧＢ色信号変換部、及び前記ＲＧＢ色信号変換部から出力される前記ＲＧＢ色信号を前記ターゲット装置のトーンカーブ特性に従い補償を行って出力するトーンカーブ補償部を含むことが好ましい。
一方、本発明による色変換方法は、（ａ）入力される第１色信号の標準色帯域と、前記第１色信号が再現されるターゲット装置の色帯域とがマッチングするように前記第１色信号を第２色信号に変換して出力するステップ、及び（ｂ）前記第２色信号を前記ターゲット装置において使用可能な色信号に変化させて出力するステップを含む。好ましくは、入力色信号をデバイスインデペンデント色空間の色信号に変換して前記第１色信号として提供するステップを更に含む。
【００１１】
前記入力色信号は非線形標準ＲＧＢ色信号であり、前記第１色信号はＣＩＥ−ＸＹＺ色信号であり、前記第２色信号はＷＹＶ色信号であることが好ましい。また、前記第１色信号として提供するステップは、前記非線形標準ＲＧＢ色信号を線形補正し、線形ＲＧＢ色信号に変換して出力するステップ、及び前記線形ＲＧＢ色信号を前記ＣＩＥ−ＸＹＺ色信号に変換して出力するステップを含むことが好ましい。
【００１２】
前記（ａ）ステップは、前記第１色信号をＷＹＶ色信号に変換して出力するステップ、前記ＷＹＶ色信号を前記第１色信号の標準色帯域及び前記ターゲット装置の色帯域をそれぞれ基準とし、色相及び輝度を一定に保持しつつ最大彩度値の範囲を決定するスケール定数Ｋ１及びＫ２をそれぞれ算出するステップ、前記スケール定数Ｋ１及びＫ２の比値である最終スケール定数Ｋに基づいて、前記ＷＹＶ色信号の色信号値を補正するステップ、及び補正された前記ＷＹＶ色信号を前記デバイスインデペンデント色空間の色信号である前記第２色信号に変換して出力するステップを含むことが好ましい。
【００１３】
そして、前記（ｂ）ステップは、前記第２色信号を前記ターゲット装置に従属的なＲＧＢ色信号に変換して出力するステップ、及び前記ＲＧＢ色信号を前記ターゲット装置のトーンカーブ特性に従い補償を行って出力するステップを含むことが好ましい。
【発明の効果】
【００１４】
本発明によると、入力される標準色信号の色帯域とターゲット装置の色帯域とをマッチングさせることができるように、入力される標準色信号を色変換することができるため、色再現において標準入力色信号に対応する最も類似した色をターゲット装置において再現することができる。そして、既存の方式に比べて計算過程が簡単で処理速度が速いため実時間処理に適合しており、ルックアップテーブルを用いないため、多様のメモリが不要となって、ハードウェアのサイズが減少し、ハードウェアの構成がより容易になる。
【発明を実施するための最良の形態】
【００１５】
以下において、図面を参照して本発明を、より詳しく説明する。
図２は、本発明による色変換装置のブロック図である。図面を参照すると、この色変換装置は、線形補正部１００、ＣＩＥ色信号変換部２００、色帯域マッチング部（Ｇａｍｕｔ  ｍａｃｈｉｎｇ  ｐａｒｔ）３００、ＲＧＢ色信号変換部４００及びトーンカーブ補償部５００からなる。
【００１６】
線形補正部１００は、入力される標準非線形ＲＧＢ色信号を線形補正して線形ＲＧＢ色信号に変換する。標準非線形ＲＧＢ色信号は、それぞれの標準規格による多様な色信号であり、例えばＩＥＣ（Ｉｎｔｅｒｎａｔｉｏｎ  Ｅｌｅｃｔｒｏ−Ｔｅｃｈｎｉｃａｌ  Ｃｏｍｍｉｓｓｉｏｎ）のｓＲＧＢ或いはＨＤＴＶ規格案であるＩＴＵ−Ｒ．ＢＴ．７０９によるｎｏｎ  ｌｉｎｅａｒ  ＲＧＢ信号等がある。
【００１７】
ＣＩＥ色信号変換部２００は、変換された線形ＲＧＢ色信号をデバイスインデペンデントカラーであるＣＩＥ−ＸＹＺ色信号に変換する。色帯域マッチング部３００は、入力される色信号の色帯域と、入力される色信号が再現されるターゲット装置間の色帯域とがマッチングするように、入力される色信号を変換する。ＲＧＢ色信号変換部４００は、色帯域マッチング部３００から変換され出力される色信号を更にターゲット装置に従属的なＲＧＢ色信号に変換して出力し、トーンカーブ補償部５００では、ターゲット装置が有する固有のトーンカーブの特性に適合するように補償を行った色信号を出力する。トーンカーブ補償部５００から出力される色信号は、ターゲット装置に再現される。
【００１８】
図３は、図２の色帯域マッチング部３００の詳細ブロック図である。図面を参照すると、色帯域マッチング部３００は、ＷＹＶ色信号変換部３１０、第１及び第２探索部３２０、３３０、第１及び第２変換率算出部３４０、３５０、第１及び第２最小変化率選択部３６０、色帯域決定部３８０及びＸＹＺ色信号変換部３９０からなる。
ＷＹＶ色信号変換部３１０は、入力されるＣＩＥ−ＸＹＺ色信号をＷＹＶ色信号に変換する。第１及び第２探索部３２０、３３０は、それぞれ入力される色信号の色帯域及びターゲット装置の色帯域を基準としてＷＹＶ色信号をＲＧＢ色信号に変換し、ＷＹＶ色空間において色相及び輝度を一定に保持しつつ色差信号を変化させる場合、ＲＧＢ色空間において変化されるＲＧＢ色信号を探索する。第１及び第２変化率算出部３４０、３５０は、それぞれ第１及び第２探索部３２０、３３０においてＷＹＶ信号の変化に対応して変化したＲＧＢ色信号がＲＧＢ色空間の境界値に存在する場合、ＲＧＢ色信号の変化率を算出する。第１及び第２最小変化率選択部３６０、３７０は、それぞれ第１及び第２変化率算出部３４０、３５０で算出されたＲＧＢ色信号の変化率のうち最小変化率を選択する。
【００１９】
色帯域決定部３８０は、第１及び第２最小変化率選択部３６０、３７０で選択された最小変化率に基づき、ターゲット装置において表示可能な彩度範囲を決定し、色帯域マッチング部３００に入力された色信号を変換する。そして、ＸＹＺ色信号変換部３９０は、色帯域決定部３８０から出力される色信号を更にＣＩＥ−ＸＹＺ色信号に変換する。
図４は、本発明による色変換装置の動作方法の説明に提供されるフローチャートである。該フローチャートを参照すると、先ず線形補正部１００は、入力される標準非線形ＲＧＢ色信号（Ｒ１，ＮＬ，Ｇ１，ＮＬ，Ｂ１，ＮＬ）を線形補正して線形ＲＧＢ色信号（Ｒ１，Ｌ，Ｇ１，Ｌ，Ｂ１，Ｌ）に変換する（Ｓ６００）。線形ＲＧＢ色信号（Ｒ１，Ｌ，Ｇ１，Ｌ，Ｂ１，Ｌ）は、ＣＩＥ色信号変換部２００でデバイスインデペンデントカラーであるＣＩＥ−ＸＹＺ色信号（Ｘ，Ｙ，Ｚ）に変換される（Ｓ６１０）。変換されたＣＩＥ−ＸＹＺ色信号（Ｘ，Ｙ，Ｚ）は、色帯域マッチング部３００に伝達される。
【００２０】
色帯域マッチング部３００に伝達された ＣＩＥ−ＸＹＺ色信号（Ｘ，Ｙ，Ｚ）は、ＷＹＶ色信号変換部３１０でＷＹＶ色信号に変換される（Ｓ６２０）。このようにＣＩＥ−ＸＹＺ色信号をＷＹＶ色信号に変換する理由は、色帯域マッチング過程において計算処理の複雑性を減少させるためである。即ち、図５に示したように、ＣＩＥ−ＸＹＺ色空間上においてアクロマチック（ａｃｈｒｏｍａｔｉｃ）軸は、ブラック（Ｂｌａｃｋ）及びホワイト（Ｗｈｉｔｅ）ポイントの二点を繋ぐ対角線のグレー軸（Ｇｒａｙ  Ａｘｉｓ）で表される。該対角線を中心として法線ベクターの放射線方向のサイズが彩度（Ｃｈｒｏｍａ）Ｃとなり、その方向が色相（Ｈｕｅ）Ｈとなる。従って、ＣＩＥ−ＸＹＺ色空間において色帯域マッチングを行う場合、アクロマチック軸がＸ、Ｙ、Ｚ直交座標系に関する関数として示されることにより、その複雑度が増加することになる。これにより、図６に示したように、アクロマチック軸が輝度（Ｌｕｍｉｎａｎｃe）Ｙ値にのみ依存的なＷＹＶ色空間に座標変換して計算処理の複雑性を減少させる。
【００２１】
一方、ＣＩＥ−ＸＹＺ色信号は、次の式によりＷＹＶ色信号に変換することができる。
【数１】
2004304793.tif 000003
ここで、各変換定数ｃ１〜ｃ６は、各軸ＷＶ方向に最大最小値条件によって設定する。また、ＷＹＶ色空間において彩度Ｃ、及び色相Ｈを数式で示すと次のとおりである。
【数２】
2004304793.tif 000004
【００２２】
このように、ＷＹＶ色信号変換部３１０でＷＹＶ色信号に変換された色信号は、第１及び第２探索部３２０、３３０、第１及び第２変化率算出部３４０、３５０及び第１及び第２最小変化率選択部３６０、３７０からなるスケール算出部に伝達される。スケール算出部では、入力される標準色信号の色帯域とターゲット装置の色帯域を基準とし、それぞれ色変換過程において用いられるスケール定数Ｋ１及びＫ２が算出される（Ｓ６３０）。算出されたスケール定数Ｋ１及びＫ２の比により、最終スケール定数Ｋが算出され（Ｓ６４０）、算出された最終スケール定数Ｋを用いて色帯域がマッチングするように色信号が変換される（Ｓ６５０）。このような過程をより詳しく説明すると、次のとおりである。
【００２３】
図７は、入力される標準色信号の色帯域とターゲット装置の色帯域とをＷＹＶ色空間に示している。図７において実線で表した領域Ａが標準色信号の色帯域を示し、点線で表した領域Ｂがターゲット装置の色帯域を示す。図面に示したように、入力される標準色信号の色帯域とターゲット装置の色帯域とは互いに一致していない場合、色帯域がマッチングするように色信号を変化する必要がある。即ち、輝度Ｙと色相Ｈを一定に保持しつつ彩度Ｃを伸長するか（ｓ１→ｓ２の場合）、或いは圧縮（ｃ１→ｃ２の場合）する場合等の色信号変換が必要となる。このような圧縮または伸長に用いられる値が最終スケール定数Ｋであり、最終スケール定数Ｋを算出するために先ず標準色信号の色帯域を基準としてスケール定数Ｋ１が算出され、ターゲット装置の色帯域を基準としてスケール定数Ｋ２が算出される。最終スケール定数Ｋは、圧縮の場合は０〜１の間の値であり、伸長の場合は１以上の値となる。
【００２４】
図８は、スケール定数を求める過程を説明するための図面である。図面を参照すると、入力される色信号をＷＹＶ色空間に示した場合の彩度がＣであるとすれば、該色信号の標準色帯域において彩度の最大値がＣ１ｍａｘとなり、ターゲット装置の色帯域において彩度の最大値がＣ２ｍａｘとなる。従って、輝度Ｙ及び色相Ｈが一定の条件下でスケール定数Ｋ１及びＫ２は、次の式により算出される。
【００２５】
【数３】
2004304793.tif 000005
算出されたスケール定数Ｋ１及びＫ２の比が最終スケール定数Ｋとなり、これを式で表すと次のとおりである。
【数４】
2004304793.tif 000006
【００２６】
このように算出された最終スケール定数Ｋを用いて色帯域がマッチングするように色信号が変化する。
スケール定数Ｋ１及びＫ２を算出する方法は、本出願人が既に出願した韓国特許出願番号第２００２−８１６４６号の‘色信号処理装置及びその処理方法’に対する特許に開示された方法を用いる。これを説明すると、次のとおりである。
【００２７】
スケール定数Ｋ１は、第１探索部３２０、第１変化率算出部３４０及び第１最小変化率算出部３６０から算出され、スケール定数Ｋ２は、第２探索部３３０、第２変化率算出部３５０及び第２最小変化率選択部３７０から算出される。スケール定数Ｋ１及びＫ２は、基準となる色帯域に差があるだけであり、同一の過程により算出される。先ず、スケール定数Ｋ１を算出する過程をより詳しく説明すると次のとおりである。
【００２８】
即ち、第１探索部３２０は、入力されるＷＹＶ色信号に対してＲＧＢ色信号に変換し、変換されたＲＧＢ色信号を次の数式のとおり輝度Ｙによる初期固定成分と色信号であるＷ、Ｖ成分による変更成分とに分離する。
【数５】
2004304793.tif 000007
【００２９】
ところで、色信号が輝度Ｙ及び色相Ｈが一定の条件下で彩度Ｃがｋだけ増減するとすれば、次の数式のとおり示すことができる。
【数６】
2004304793.tif 000008
従って、これをＲＧＢ色空間に変換して示すと、次の数式のようにΔＲ、ΔＧ、ΔＢのみがｋだけ変更されることがわかる。
【数７】
2004304793.tif 000009
【００３０】
第１変化率算出部３４０は、色差信号の変化に対応して変化したＲＧＢ色信号が、ＲＧＢ色空間の境界値に存在する場合のＲＧＢ色信号の変化率を算出する。この場合、ＲＧＢ色信号の変化率はＲ（Ｒｅｄ）信号、Ｇ（Ｇｒｅｅｎ）信号及びＢ（Ｂｌｕｅ）信号のそれぞれの変化率をいう。即ち、Ｒ信号、Ｇ信号及びＢ信号のそれぞれの変化率をｋＲ、ｋＧ及びｋＢとすれば、ＲＧＢ色信号は次のとおり示すことができる。
【数８】
2004304793.tif 000010
【００３１】
[数式８]からそれぞれの変化率ｋＲ、ｋＧ及びｋＢは次のとおり算出される。
【数９】
2004304793.tif 000011
この場合、ＲＧＢカラー空間の境界値に対してそれぞれの変化量、即ち△Ｒ、△Ｇ及び△Ｂが増加された場合に、Ｒ＊、Ｇ＊及びＢ＊は１であり、その他の場合は０となる。これを数式で表すと次のとおりである。
【数１０】
2004304793.tif 000012
【００３２】
第１最小変化率選択部３６０は、第１変化率算出部３４０により算出されたＲＧＢ色信号のそれぞれの変化率ｋＲ、ｋＧ及びｋＢのうちで最小変化率を選択する。これを数式で示すと、次のとおりである。
【数１１】
2004304793.tif 000013
【００３３】
ｋｍｉｎにより彩度が上昇した信号が与えられた入力色信号（Ｘ，Ｙ，Ｚ）が輝度及び色相が一定の条件下で有してもよい彩度の最大値であり、これは、入力標準色信号の色帯域の境界に位置する最大彩度の色相となる。これを式で示すと次のとおりである。
【数１２】
2004304793.tif 000014
【００３４】
[数式１２]を通じてスケール定数Ｋ１が算出される。同一の方式により、第２探索部３３０、第２変化率算出部３５０、第２最小変化率選択部３７０からスケール定数Ｋ２が算出される。この場合、ただターゲット装置の色帯域を基準としてスケール定数Ｋ２が算出される点においてのみ差がある。
算出されたスケール定数Ｋ１及びＫ２は、色帯域決定部に伝達され、最終スケール定数Ｋが算出される（Ｓ６４０）。最終スケール定数Ｋは、前述のとおりＫ１／Ｋ２の比により算出される。色帯域決定部３８０は、算出された最終スケール定数ＫがＷＹＶ色信号変換部３１０から出力される色信号Ｗ、Ｖに加えられて圧縮または伸長により色信号を変換する（Ｓ６７０）。
【００３５】
変換された色信号は、ＸＹＺ色信号変換部３９０で更にＣＩＥ−ＸＹＺ色信号に変換される（Ｓ６６０）。これを式で示すと次のとおりである。
【数１３】
2004304793.tif 000015
このように算出された色信号（Ｘ＊、Ｙ、Ｚ＊）は、ＲＧＢ色信号変換部４００に伝達され、ターゲット装置にインデペンデントＲＧＢ色信号に変換され、トーンカーブ補償部５００でターゲット装置のトーンカーブ特性による補償がなされた後（Ｓ６８０）、最終色信号が出力される。このような過程により、入力される色信号をターゲット装置の色帯域にマッチングさせて変換された色信号を得ることができる。
【００３６】
また、以上においては、本発明の好ましい実施形態について図説したが、本発明は、前述の特定の実施形態に限定されておらず、特許請求の範囲において請求している本発明の要旨を逸ることなく当該発明の属する技術分野における通常の知識を有した者により多様な変形実施が可能であるのは言うまでもなく、このような変形実施は、本発明の技術的思想または展望から個別的に理解されてなならないものである。
【産業上の利用可能性】
【００３７】
本発明は、入力される標準色信号の色帯域と該入力色信号を再現するターゲット装置間の色帯域とが異なる場合、これらの異なる色帯域がマッチングすることができるように入力色信号を変換する色変換装置及びその方法に適用することができる。
【図面の簡単な説明】
【００３８】
【図１】従来の色変換装置の一例を示すブロック図である。
【図２】本発明による色変換装置のブロック図である。
【図３】図２の色帯域マッチング部の詳細ブロック図である。
【図４】本発明による色変換装置の動作方法の説明に提供されるフローチャートである。
【図５】本発明による色変換装置の動作方法の説明に提供される図面である。
【図６】本発明による色変換装置の動作方法の説明に提供される図面である。
【図７】本発明による色変換装置の動作方法の説明に提供される図面である。
【図８】本発明による色変換装置の動作方法の説明に提供される図面である。
【符号の説明】
【００３９】
１００…線形補正部
２００…ＣＩＥ色信号変換部
３００…色帯域マッチング部
４００…ＲＧＢ色信号変換部
５００…トーンカーブ補償部
【図１】
2004304793.tif 000016
【図２】
2004304793.tif 000017
【図３】
2004304793.tif 000018
【図４】
2004304793.tif 000019
【図５】
2004304793.tif 000020
【図６】
2004304793.tif 000021
【図７】
2004304793.tif 000022
【図８】
2004304793.tif 000023